(57)【要約】【課題】メダルが回収リフトを経て下部タンク内へ収容される際に、メダルを分散させ片寄らずに収容させることにより、必要収容枚数の確保及び、下部タンクの形状が制限されずに収容量を増やすことのできるメダル分散通路を提供する。【解決手段】メダルの半径以上で異なる高さの仕切板を、メダルの直径以下の間隔で交互に配置し、且つ前記仕切板の一つ置きの間隔をメダルの直径以上に配置した格子状通路に形成し、傾斜を有して取付けた。【選択図】図１
2006280599.tif 000002
【特許請求の範囲】
【請求項１】
遊技場等に設置されているメダルを貯留するための、メダル貯留タンクへの排出口において、メダルの半径以上で異なる高さの仕切板を、メダルの直径以下の間隔で交互に配置し、且つ前記仕切板の一つ置きの間隔をメダルの直径以上に配置し、格子状通路に形成したことを特徴とするメダル分散通路。
【請求項２】
請求項１のメダル分散通路は、傾斜を有して取付けることにより、メダルは前記格子状通路で起立方向となり転動状態になることを特徴とするメダル分散通路。
【発明の詳細な説明】
【技術分野】
【０００１】
本発明は、遊技場等に設置されているメダルを貯留するためのタンク内に、メダルを誘導する通路に関する。
【背景技術】
【０００２】
例えば、パチンコホール等の遊技場には、各遊技機より溢れたメダルは回収され、メダル研磨装置の貯留タンクへ収容される。
【０００３】
メダル洗浄装置としては特許文献１に示すものがある。この文献に明示されたメダル洗浄装置は、洗浄器、回収コンベア、回収シュート、回収リフト、下部タンク及び計数機等を備えている。各遊技機から溢れて排出されたメダルは回収コンベアにより集められ、回収シュート、及び回収リフトを経て下部タンクへ回収される。下部タンクに収容されているメダルは、鉛直方向に配置された揚送リフトにより上方に搬送されて洗浄機に供給される。洗浄器で洗浄されたメダルは、上部タンクに下流して貯留される。この上部タンクに貯留されているメダルは、メダル払出し機構により上部タンクから排出され、メダル誘導路を通ってバケット収容部に収容されているバケットに供給される構成が下記の文献にて開示されている。
【０００４】
【特許文献１】特開２００１−２２９４２９
【発明の開示】
【発明が解決しようとする課題】
【０００５】
しかしながら、特許文献１においては、各遊技機から溢れたメダルは回収コンベアにより集められ、回収シュート、回収リフトを経て下部タンク内へ収容される。このためメダルは回収リフトから分散されずに下部タンク内の回収リフトの排出口下部周辺に片寄って収容されてしまう。
【０００６】
前記下部タンク内でメダルが片寄って収容されると、下部タンクよりメダルが早期に溢れ出す現象（オーバーフロー現象）を引き起こし、下部タンク内に必要収容枚数が確保できないという不具合が生じる。
【０００７】
また、前記回収リフトの排出口からのメダルを、そのまま落下させ下部タンク内に片寄らずに収容させるようにするためには、回収リフトの排出口と下部タンクとの配置や形状に制限が生じる。このため、前記下部タンクの形状が制限されることにより収容量が少なくなるどの課題を有していた。
【０００８】
そこで本発明は、メダルが回収リフトを経て下部タンク内へ収容される際に、メダルの落下箇所を分散させ片寄らずに収容することにより、下部タンクよりメダルが早期に溢れ出す現象（オーバーフロー現象）を防ぐことができ、下部タンク内に必要収容枚数が確保できるメダル分散通路を提供することにある。
【０００９】
また、下部タンクの形状が制限されずに収容量を確保及び、増やすことのできるメダル分散通路を提供することにある。
【課題を解決するための手段】
【００１０】
上記の問題を解決するために、遊技場等に設置されているメダルを貯留するための、メダル貯留タンクへの排出口において、メダルの半径以上で異なる高さの仕切板を、メダルの直径以下の間隔で交互に配置し、且つ前記仕切板の一つ置きの間隔をメダルの直径以上に配置した格子状通路に形成したことを特徴とする。
【００１１】
請求項１のメダル分散通路は、傾斜を有して取付けることにより、メダルは前記格子状通路で起立方向となり転動状態になることを特徴とする。
【発明の効果】
【００１２】
本発明によれば、メダル研磨機内のメダル貯留タンクへの排出口において、メダルの半径以上で異なる高さの仕切板を、メダルの直径以下の間隔で交互に配置した格子状通路にし、且つ左右数箇所は前記格子状通路の全長に対し段階的に短く形成したメダル分散通路を、傾斜を有して取付け、前記格子状通路で転動状態となったメダルは、下部タンク内に片寄らずに収容されることにより、下部タンクよりメダルが早期に溢れ出す現象（オーバーフロー現象）を防ぐことができ、下部タンク内に必要収容枚数が確保することが可能となる。
【００１３】
また、前記格子状通路でメダルが起立方向となり転動状態となると、本発明のメダル分散通路の取付け傾斜を緩やかにすることがでる。このことにより、前記メダル分散通路下方に設置されている下部タンクの配置及び、形状が制限されず上方へ寸法を大きくでき、収容量の確保及び、増やすことが可能となる。
【発明を実施するための最良の形態】
【００１４】
以下、本発明の実施形態を添付の図面に基づいて説明する。
【実施例１】
【００１５】
遊技島３には例えば複数台の遊技機４、４、・・・及びメダル貸機５、５、・・・と遊技機４、４、・・・より溢れて排出されたメダルＭを回収する回収コンベア６とメダルを研磨し貯留するメダル研磨装置２が設置されている。
【００１６】
各遊技機４、４、・・・から溢れたメダルＭは回収コンベア６により集められ、回収シュート２１、回収リフト２２を経て、上記メダル研磨装置２内の下部タンク２３へ貯留される。
【００１７】
本発明のメダル分散通路１の全長Ｌ１を前記下部タンク２３の奥行きL７方向の半分以上の長さで、且つメダルMの半径以上の高さＬ２の仕切板１１ｂと、前記仕切板１１ｂと異なる高さＬ３で後端側Ｂから先端側Ａに向けて徐々に低く傾斜を有した仕切板１１ａの２種類の異なる高さの仕切板１１ａ、１１ｂを、メダルＭの直径以下の間隔Ｌ４で交互に配置し、且つ前記仕切板の一つ置きの間隔Ｌ５をメダルの直径以上に配置した格子状通路１２を形成する。尚、上記説明のメダル分散通路１の仕切板の高さＬ２、Ｌ３を２種類としたが、異なる高さの仕切板１１ａ、１１ｂを２種類以上で形成しても良い。また、前記仕切板１１ａ、１１ｂの高さを異なるとしたが、同じ高さで後端側Ｂのみ交互に異なる高さを有した仕切板１１ａ、１１ｂとしても良い。
【００１８】
前記格子状通路１２で形成されたメダル分散通路１の幅Ｌ６を前記回収リフト２２の排出口の幅と同等程に形成されている。
【００１９】
メダル分散通路１は、各遊技機４，４、・・・から溢れたメダルＭが回収コンベア６により集められ、回収シュート２１、回収リフト２２を経て下部タンク２３へ排出される箇所に、前記回収リフト２２の排出口の下方向に配置されている下部タンク２３へ、メダルＭが滑動するように傾斜を有した状態で取付ける。
【００２０】
以上の構成により、メダルＭが各遊技機４，４、・・・から溢れ回収コンベア６により集められ、回収シュート２１、回収リフト２２を経て下部タンク２３へ排出される箇所において、メダルＭが滑動するように傾斜を有した状態で取り付けられた、高さの異なる仕切板１１ａ、１１ｂを交互に配置した格子状通路１２でメダルＭは、起立方向になり転動状態となる。このことにより、メダルＭは前記格子状通路１２で誘導され下部タンク２３内に片寄ることなく貯留される。
【００２１】
また、格子状通路１２でメダルＭは、起立方向になり転動状態で誘導されることにより、メダル分散通路１の取付け傾斜を緩やかにすることができる。このことによりメダル分散通路１下方に設置されている下部タンク２３の高さＬ８寸法を大きくすることができ、下部タンク収容量を増やすことができる。
【００２２】
尚、図５に示す形状のメダル分散通路７のように、高さを同じとして後端側Ｂのみ交互に異なる高さを有した仕切板７１ａ、７１ｂを、後端側Ｂから先端側Ａにかけて幅を広げた形状で交互に配置した格子状通路７２とし、前記メダル分散通路７の幅を後端側Ｂの幅Ｌ６に対し先端側Ａの幅Ｌ９を広げて形成しても良い。
【産業上の利用可能性】
【００２３】
本発明のメダル分散通路は、例えばパチンコホール等に設置されているメダル研磨装置のメダルが回収リフトを経て下部タンクへ排出される箇所において、メダルの半径以上で異なる高さの仕切板を、メダルの直径以下の間隔で交互に配置し、且つ前記仕切板の一つ置きの間隔をメダルの直径以上に配置した格子状通路を、傾斜を有して取付けることにより、メダルは前記格子状通路にて起立状態になり転動状態で誘導され、下部タンク内に片寄らずに収容させるための利用が可能となる。
【図面の簡単な説明】
【００２４】
【図１】図１（ａ）は、本発明に係わるメダル分散通路の斜視図である。            図１（ｂ）は、本発明に係わるメダル分散通路の側面図である。
【図２】図２は、実施例１に係わるメダル洗浄装置の正面斜視図である。
【図３】図３は、実施例１に係わるメダル洗浄装置内に備わる下部タンクの斜視図である
【図４】図４は、実施例１に係わるメダル洗浄装置の背面斜視図である。
【図５】図５（ａ）は、本発明によるメダル分散通路の他の実施例を示す斜視図である。        図５（ｂ）は、本発明によるメダル分散通路の他の実施例を示す平面図である。
【図６】図６は、実施例１に係わる遊技島を示す平面図である。
【符号の説明】
【００２５】
１  メダル分散通路
１１ａ  仕切板
１１ｂ  仕切板
１２  格子状通路
２  メダル洗浄装置
２１  回収シュート
２２  回収リフト
２３  下部タンク
３  遊技島
４  遊技機
５  メダル貸機
６  回収コンベア
７  メダル分散通路
７１ａ  仕切板
７１ｂ  仕切板
Ａ  先端側
Ｂ  後端側
Ｌ１  全長  （メダル分散通路）
Ｌ２  高さ  （仕切板）
Ｌ３  高さ  （仕切板）
Ｌ４  間隔  （格子状通路）
Ｌ５  間隔  （格子状通路）
Ｌ６  幅    （メダル分散通路）
Ｌ７  奥行  （下部タンク）
Ｌ８  高さ  （下部タンク）
Ｌ９  幅    （メダル分散通路）
Ｍ  メダル
【図１】
2006280599.tif 000003
【図２】
2006280599.tif 000004
【図３】
2006280599.tif 000005
【図４】
2006280599.tif 000006
【図５】
2006280599.tif 000007
【図６】
2006280599.tif 000008